(57)【要約】      （修正有）【課題】選別ファンからの二番選別風の風選によって、二番流穀板から流下した二番還元再処理物中の塵又は藁屑を除去し、二番還元再処理物の選別作業性を向上できるようにしたコンバインを提供する。【解決手段】揺動選別盤２２７の下方に一番コンベヤ２３１と唐箕ファン２２８と二番コンベヤ２３２と、二番選別風を供給する選別ファン２４１とを配置し、揺動選別盤２２７の後端側の上方に、前記揺動選別盤２２７の上面側から排塵を吸引して機外に排出する排塵ファン２３０を配置してなるコンバインにおいて、二番コンベヤ２３２を挟んで一番コンベヤ２３１と反対側に選別ファン２４１の選別風吹出し口２４１ｂを形成し、二番コンベヤ２３２に流下する二番還元再処理物の流れと交差する方向に選別風吹出し口２４１ｂから二番選別ファン２４１の二番選別風を供給可能に構成したものである。【選択図】図４
2009034057.tif 000002
【特許請求の範囲】
【請求項１】
エンジンを搭載した走行機体と、前記走行機体を支持する左右の走行クローラと、操縦ハンドル及び運転座席を有する運転部と、圃場の未刈り穀稈を刈取る刈取装置と、刈取った穀稈を脱穀する脱穀装置と、前記脱穀装置からの脱粒物を選別する揺動選別盤とを備え、前記揺動選別盤の下方に、一番穀粒取出し用の一番コンベヤと、前記一番コンベヤの上方に一番選別風を供給する唐箕ファンと、二番還元再処理物取出し用の二番コンベヤと、前記二番コンベヤの上方に二番選別風を供給する選別ファンとを配置し、前記揺動選別盤の後端側の上方に、前記揺動選別盤の上面側から排塵を吸引して機外に排出する排塵ファンを配置してなるコンバインにおいて、
前記二番コンベヤを挟んで前記一番コンベヤと反対側に前記選別ファンの選別風吹出し口を形成し、前記二番コンベヤに流下する二番還元再処理物の流れと交差する方向に前記選別風吹出し口から前記選別ファンの二番選別風を供給可能に構成したことを特徴とするコンバイン。
【請求項２】
前記揺動選別盤に設けた二番流穀板の下方側に前記選別ファンの選別風吹出し口を形成し、前記二番流穀板から前記二番コンベヤに流下する二番還元再処理物に対して、前記選別風吹出し口から前記選別ファンの二番選別風を供給可能に構成したことを特徴とする請求項１に記載のコンバイン。
【請求項３】
前記二番コンベヤより後方で前記選別ファンの選別風吹出し口より上方に前記排塵ファンの吸込み口を形成し、前記選別風吹出し口から吹出された前記選別ファンの二番選別風が前記二番コンベヤの上方を通過するときに、前記選別ファンの二番選別風の移動方向が、前向き方向から上向き方向に変化した後、上向き方向から後向き方向に変化して、前記排塵ファンの吸込み口に向けて前記選別ファンの二番選別風が移動可能に構成したことを特徴とする請求項１に記載のコンバイン。
【発明の詳細な説明】
【技術分野】
【０００１】
本発明は、刈取装置によって圃場の未刈り穀稈を刈取り、刈取った穀稈を脱穀装置によって脱穀し、脱穀装置によって脱穀された穀粒を収集するコンバインに係り、より詳しくは、脱穀装置の脱粒物を揺動選別盤にて選別して、穀粒タンクに脱粒物中の穀粒を取出し、脱粒物中の藁屑を機外に排出するコンバインに関するものである。
【背景技術】
【０００２】
従来、エンジンを搭載した走行機体と、前記走行機体を支持する左右の走行クローラと、操縦ハンドル及び運転座席を有する運転部と、圃場の未刈り穀稈を刈取る刈取装置と、刈取った穀稈を脱穀する脱穀装置とを備え、圃場の未刈り穀稈を連続的に刈取って脱穀し、穀粒を収集するように構成している（例えば、特許文献１参照）。
【０００３】
この場合、従来のコンバインにおいては、揺動選別盤の下方に、一番穀粒取出し用の一番コンベヤと、一番コンベヤに一番選別風を供給する唐箕ファンと、二番還元再処理物取出し用の二番コンベヤと、二番コンベヤに二番選別風を供給する選別ファンとを配置する。また、揺動選別盤の後端側の上方に、揺動選別盤の上面側から排塵を吸引して機外に排出する排塵ファンを配置する。唐箕ファンの一番選別風と、選別ファンの二番選別風とを、揺動選別盤に供給して、揺動選別盤にて選別する脱粒物を風選するように構成されている。
【特許文献１】特開２００２−３６００４８号公報
【発明の開示】
【発明が解決しようとする課題】
【０００４】
前記従来技術は、特許文献１に示されるように、二番コンベヤの前側に選別ファンを配置した場合、揺動選別盤の後端側に設けたストローラックから二番コンベヤに直接落下する二番還元再処理物に対して、選別ファンからの二番選別風を効果的に供給できる。しかしながら、揺動選別盤の後端側の底部に設けた二番流穀板の傾斜面に沿って、二番流穀板の傾斜面の下端側から上端側に向けて二番選別風が排出されるから、二番流穀板から二番コンベヤに流下した二番還元再処理物は、二番選別風によって殆ど風選されない。即ち、二番流穀板から流下した二番還元再処理物中の塵又は藁屑は、殆ど除去されることなく、二番コンベヤによって取出される。二番還元再処理物の選別作業性を向上できない等の問題がある。
【０００５】
本発明の目的は、選別ファンからの二番選別風の風選によって、二番流穀板から流下した二番還元再処理物中の塵又は藁屑を除去し、二番還元再処理物の選別作業性を向上できるようにしたコンバインを提供するものである。
【課題を解決するための手段】
【０００６】
前記目的を達成するため、請求項１に係る発明のコンバインは、エンジンを搭載した走行機体と、前記走行機体を支持する左右の走行クローラと、操縦ハンドル及び運転座席を有する運転部と、圃場の未刈り穀稈を刈取る刈取装置と、刈取った穀稈を脱穀する脱穀装置と、前記脱穀装置からの脱粒物を選別する揺動選別盤とを備え、前記揺動選別盤の下方に、一番穀粒取出し用の一番コンベヤと、前記一番コンベヤの上方に一番選別風を供給する唐箕ファンと、二番還元再処理物取出し用の二番コンベヤと、前記二番コンベヤの上方に二番選別風を供給する選別ファンとを配置し、前記揺動選別盤の後端側の上方に、前記揺動選別盤の上面側から排塵を吸引して機外に排出する排塵ファンを配置してなるコンバインにおいて、前記二番コンベヤを挟んで前記一番コンベヤと反対側に前記選別ファンの選別風吹出し口を形成し、前記二番コンベヤに流下する二番還元再処理物の流れと交差する方向に前記選別風吹出し口から前記選別ファンの二番選別風を供給可能に構成したものである。
【０００７】
請求項２に記載の発明は、請求項１に記載のコンバインにおいて、前記揺動選別盤に設けた二番流穀板の下方側に前記選別ファンの選別風吹出し口を形成し、前記二番流穀板から前記二番コンベヤに流下する二番還元再処理物に対して、前記選別風吹出し口から前記選別ファンの二番選別風を供給可能に構成したものである。
【０００８】
請求項３に記載の発明は、請求項１に記載のコンバインにおいて、前記二番コンベヤより後方で前記選別ファンの選別風吹出し口より上方に前記排塵ファンの吸込み口を形成し、前記選別風吹出し口から吹出された前記選別ファンの二番選別風が前記二番コンベヤの上方を通過するときに、前記選別ファンの二番選別風の移動方向が、前向き方向から上向き方向に変化した後、上向き方向から後向き方向に変化して、前記排塵ファンの吸込み口に向けて前記選別ファンの二番選別風が移動可能に構成したものである。
【発明の効果】
【０００９】
請求項１に係る発明によれば、エンジンを搭載した走行機体と、前記走行機体を支持する左右の走行クローラと、操縦ハンドル及び運転座席を有する運転部と、圃場の未刈り穀稈を刈取る刈取装置と、刈取った穀稈を脱穀する脱穀装置と、前記脱穀装置からの脱粒物を選別する揺動選別盤とを備え、前記揺動選別盤の下方に、一番穀粒取出し用の一番コンベヤと、前記一番コンベヤの上方に一番選別風を供給する唐箕ファンと、二番還元再処理物取出し用の二番コンベヤと、前記二番コンベヤの上方に二番選別風を供給する選別ファンとを配置し、前記揺動選別盤の後端側の上方に、前記揺動選別盤の上面側から排塵を吸引して機外に排出する排塵ファンを配置してなるコンバインにおいて、前記二番コンベヤを挟んで前記一番コンベヤと反対側に前記選別ファンの選別風吹出し口を形成し、前記二番コンベヤに流下する二番還元再処理物の流れと交差する方向に前記選別風吹出し口から前記選別ファンの二番選別風を供給可能に構成したものであるから、前記揺動選別盤の後端側（二番流穀板）から流下した二番還元再処理物が前記二番コンベヤに落下するまでの間に、前記選別風吹出し口から供給する前記選別ファンの二番選別風の風選によって、その二番還元再処理物中の塵又は藁屑を簡単に除去でき、前記二番コンベヤによって取出される二番還元再処理物の選別作業性を簡単に向上できるものである。
【００１０】
請求項２に係る発明によれば、前記揺動選別盤に設けた二番流穀板の下方側に前記選別ファンの選別風吹出し口を形成し、前記二番流穀板から前記二番コンベヤに流下する二番還元再処理物に対して、前記二番コンベヤの上方に向けて、前記選別風吹出し口から前記選別ファンの二番選別風を供給可能に構成したものであるから、前記選別風吹出し口から供給する前記選別ファンの二番選別風の風選によって、前記二番流穀板から流下した二番還元再処理物中の塵又は藁屑を簡単に除去できるものでありながら、前記選別ファンの二番選別風の風選によって、揺動選別盤の後端側に設けたストローラックから二番コンベヤに直接落下する二番還元再処理物中の塵又は藁屑も簡単に除去でき、前記二番コンベヤによって取出される二番還元再処理物の選別作業性を簡単に向上できるものである。
【００１１】
請求項３に係る発明によれば、前記二番コンベヤより後方で前記選別ファンの選別風吹出し口より上方に前記排塵ファンの吸込み口を形成し、前記選別風吹出し口から吹出された前記選別ファンの二番選別風が前記二番コンベヤの上方を通過するときに、前記選別ファンの二番選別風の移動方向が、前向き方向から上向き方向に変化した後、上向き方向から後向き方向に変化して、前記排塵ファンの吸込み口に向けて前記選別ファンの二番選別風が移動可能に構成したものであるから、前記二番コンベヤの上方を通過するときに、前記選別ファンの二番選別風が方向転換することによって、前記選別ファンの二番選別風が搬送する二番還元再処理物中の比較的重い穀粒等は、遠心分離されて下方の前記二番コンベヤに落下する。一方、前記選別ファンの二番選別風が搬送する二番還元再処理物中の比較的軽い塵又は藁屑等は、遠心分離されずに前記排塵ファンの吸込み口に搬送される。即ち、二番還元再処理物が前記二番コンベヤに落下するまでの間に、渦巻き状に移動する前記選別ファンの二番選別風の遠心分離作用によって、二番還元再処理物のうち比較的重い穀粒等と、二番還元再処理物のうち比較的軽い塵又は藁屑等とに、それぞれ分離して、各別に取出すことができ、前記選別ファンの二番選別風の風選能力を簡単に向上できるものである。
【発明を実施するための最良の形態】
【００１２】
以下に、本発明を具体化した実施形態を図面に基づいて説明する。図１はコンバインの左側面図、図２はコンバインの平面図、図３は脱穀装置の断面図、図４は脱穀装置の選別部の拡大説明図である。図１及び図２を参照しながら、コンバインの全体構造について説明する。なお、以下の説明では、走行機体１の進行方向に向かって左側を単に左側と称し、同じく進行方向に向かって右側を単に右側と称する。
【００１３】
図１及び図２に示されるように、本実施形態のコンバインは、左右一対の走行クローラ２にて支持された走行機体１を備えている。走行機体１の前部には、穀稈を刈り取りながら取り込む６条刈り用の刈取装置３が、単動式の昇降用油圧シリンダ４によって刈取回動支点軸４ａ回りに昇降調節可能に装着されている。走行機体１には、フィードチェン６を有する脱穀装置５と、脱穀後の穀粒を貯留する穀粒タンク７とが横並び状に搭載されている。本実施形態では、脱穀装置５が走行機体１の進行方向左側に、穀粒タンク７が走行機体１の進行方向右側に配置されている。走行機体１の後部に旋回可能な排出オーガ８が設けられ、穀粒タンク７の内部の穀粒が、排出オーガ８の籾投げ口９からトラックの荷台またはコンテナ等に排出されるように構成されている。刈取装置３の右側方で、穀粒タンク７の前側方には、運転キャビン１０が設けられている。
【００１４】
運転キャビン１０内に操縦ハンドル１１及び運転座席１２を配置している。なお、図示しないが、運転キャビン１０には、オペレータが搭乗するステップと、操縦ハンドルを設けたハンドルコラムと、運転座席１２の左側方のレバーコラムに設けた主変速レバー、及び副変速レバー、及び脱穀クラッチレバー、及び刈取クラッチレバーとが、配置されている。運転座席１２の下方の走行機体１には、動力源としてのエンジン２０が配置されている。
【００１５】
図１及び図２に示されるように、走行機体１の下面側に左右のトラックフレーム２１を配置している。トラックフレーム２１には、走行クローラ２にエンジン２０の動力を伝える駆動スプロケット２２と、走行クローラ２のテンションを維持するテンションローラ２３と、走行クローラ２の接地側を接地状態に保持する複数のトラックローラ２４と、走行クローラ２の非接地側を保持する中間ローラ２５とを設けている。駆動スプロケット２２によって走行クローラ２の前側を支持し、テンションローラ２３によって走行クローラ２の後側を支持し、トラックローラ２４によって走行クローラ２の接地側を支持し、中間ローラ２５によって走行クローラ２の非接地側を支持することになる。
【００１６】
刈取装置３の刈取回動支点軸４ａに連結した刈取フレーム２２１の下方には、圃場の未刈り穀稈の株元を切断するバリカン式の刈刃装置２２２が設けられている。刈取フレーム２２１の前方には、圃場の未刈り穀稈を引起す６条分の穀稈引起装置２２３が配置されている。穀稈引起装置２２３とフィードチェン６の前端部（送り始端側）との間には、刈刃装置２２２によって刈取られた刈取り穀稈を搬送する穀稈搬送装置２２４が配置されている。なお、穀稈引起装置２２３の下部前方には、圃場の未刈り穀稈を分草する６条分の分草体２２５が突設されている。エンジン２０にて走行クローラ２を駆動して圃場内を移動しながら、刈取装置３を駆動して圃場の未刈り穀稈を連続的に刈取ることになる。
【００１７】
図１乃至図３に示されるように、脱穀装置５には、穀稈脱穀用の扱胴２２６と、扱胴２２６の下方に落下する脱粒物を選別する揺動選別盤２２７及び唐箕ファン２２８と、扱胴２２６の後部から取出される脱穀排出物を再処理する処理胴２２９と、揺動選別盤２２７の後部の排塵を排出する排塵ファン２３０とを備えている。なお、扱胴２２６の回転軸はフィードチェン６による穀稈の搬送方向（換言すると走行機体１の進行方向）に沿って延びている。刈取装置３から穀稈搬送装置２２４によって搬送された穀稈の株元側はフィードチェン６に受け継がれて挟持搬送される。そして、この穀稈の穂先側が脱穀装置５の扱室２２６ａ内に搬入されて扱胴２２６にて脱穀されることになる。
【００１８】
揺動選別盤２２７の下方側には、揺動選別盤２２７にて選別された穀粒（一番物）を取出す一番コンベヤ２３１及び一番樋２３１ａと、枝梗付き穀粒等の二番物を取出す二番コンベヤ２３２及び二番樋２３２ａとが設けられている。本実施形態の両コンベヤ２３１，２３２は、走行機体１の進行方向前側から一番コンベヤ２３１、二番コンベヤ２３２の順で、側面視において走行クローラ２の後部上方の走行機体１の上面側に横設されている。
【００１９】
揺動選別盤２２７は、脱穀装置５を形成した脱穀機筐３５に、揺動駆動軸３６と、前側ガイドレール３７及び後側ガイドレール３８とを介して、前方斜め下方乃至後方斜め上方に移動可能に配置されている。エンジン２０からの動力によって揺動駆動軸３６を介して揺動選別盤２２７が作動し、揺動選別盤２２７が前方斜め下方乃至後方斜め上方に往復移動することになる。その結果、扱胴２２６の下方に張設された受網２３７から漏下した脱粒物が、フィードパン２３８及びチャフシーブ２３９によって搖動選別（比重選別）されるように構成している（図３参照）。揺動選別盤２２７のグレンシーブ２４０から落下した穀粒は、その穀粒中の粉塵が唐箕ファン２２８からの選別風によって除去され、一番コンベヤ２３１及び一番樋２３１ａに落下することになる。
【００２０】
一番コンベヤ２３１のうち脱穀装置５における穀粒タンク７寄りの一側壁（実施形態では右側壁）から外向きに突出した終端部には、上下方向に延びる揚穀筒２３３が連通接続されている。一番コンベヤ２３１から取出された穀粒は、揚穀筒２３３を介して穀粒タンク７に搬入され、穀粒タンク７に収集されることになる。なお、穀粒タンク７の後面の傾斜に沿わせて、揚穀筒２３３の上端側が後方に傾斜する後傾姿勢で、穀粒タンク７の後方に揚穀筒２３３が立設されている。
【００２１】
また、チャフシーブ２３９の送り下流側（後方側）にストローラック２４３を配置する。揺動選別盤２２７は、搖動選別（比重選別）によって、チャフシーブ２３９又はストローラック２４３から枝梗付き穀粒等の二番還元再処理物が二番コンベヤ２３２及び二番樋２３２ａに落下するように構成している。なお、チャフシーブ２３９の上面側の比較的軽い藁屑は、排塵ファン２３０に吸込まれて、排塵ファン２３０の排出側から機外に排出されることになる。また、チャフシーブ２３９の送り下流側（後方側）からストローラック２４３の上面側に移動した比較的重い藁屑は、揺動選別盤２２７の後方側の３番口２４４から機外に排出されることになる。
【００２２】
ストローラック２４３の下方に落下する二番還元再処理物を風選する二番選別ファン２４１を備える。ストローラック２４３から落下した二番還元再処理物は、その穀粒中の粉塵及び藁屑が二番選別ファン２４１からの選別風によって除去され、粉塵及び藁屑を除去した二番還元再処理物が二番コンベヤ２３２に落下することになる。二番コンベヤ２３２のうち脱穀装置５における穀粒タンク７寄りの一側壁から外向きに突出した終端部は、揚穀筒２３３と交差して前後方向に延びる還元筒２３６を介して、フィードパン２３８の上面側に連通接続されている。還元筒２３６の送り終端側から、二番還元処理胴２４２を介して、二番還元再処理物がフィードパン２３８の上面側に戻されて再選別されるように構成している（図３参照）。
【００２３】
一方、フィードチェン６の後端側（送り終端側）には、排藁チェン２３４が配置されている。フィードチェン６の後端側から排藁チェン２３４に受け継がれた排藁（穀粒が脱粒された稈）は、長い状態で走行機体１の後方に排出されるか、又は脱穀装置５の後方側に設けた排藁カッタ２３５にて適宜長さに短く切断されたのち、走行機体１の後方下方に排出されることになる。
【００２４】
次に、図３及び図４を参照しながら、唐箕ファン２２８からチャフシーブ２３９に供給する選別風の風路構造について説明する。唐箕ファン２２８の唐箕ファンケース４０には、グレンシーブ２４０と一番コンベヤ２３１及び一番樋２３１ａとに唐箕ファン２２８の選別風を供給する主選別風路４１と、フィードパン２３８の後端側とチャフシーブ２３９の前端側との間からチャフシーブ２３９の上面側に唐箕ファン２２８の選別風を供給する第１プレ風路４２と、揺動選別盤２２７の底部のグレンパン２４５とチャフシーブ２３９の前端側との間からチャフシーブ２３９の下面側に唐箕ファン２２８の選別風を供給する第２プレ風路４３とを形成している。上述の主選別風路４１は、唐箕ファン２２８からの選別風が、グレンシーブ２４０の前方の下方から、グレンシーブ２４０の後方の上方に向けて、主風向体４４を介して移動するように形成されている。また、上述の主選別風路４１は、唐箕ファン２２８からの選別風が、一番コンベヤ２３１及び一番樋２３１ａの上方で前方から後方に向けて、主風向体４４を介して移動するように形成されている。即ち、グレンシーブ２４０から一番コンベヤ２３１及び一番樋２３１ａに落下する穀粒及び塵が、唐箕ファン２２８からの選別風によって風選されるように構成している。
【００２５】
上述した第１プレ風路４２は、唐箕ファン２２８からの選別風が、チャフシーブ２３９の上方で前方から後方に向けて、揺動選別盤２２７に設けたプレ風向体４５を介して移動するように形成されている。即ち、扱胴２２６から受網２３７を介してフィードパン２３８の上面に落下した脱粒物が、フィードパン２３８の後端側からチャフシーブ２３９の前端側に落下するときに、唐箕ファン２２８からの選別風によって風選されるように構成している。
【００２６】
上述した第２プレ風路４３は、唐箕ファン２２８からの選別風が、グレンパン２４５の上方で前方から後方に向けて、プレ風向体４５を介して移動するように形成されている。換言すると、チャフシーブ２３９の前方の下方から、チャフシーブ２３９の後方の上方に向けて、唐箕ファン２２８からの選別風が移動するように形成されている。即ち、チャフシーブ２３９からグレンパン２４５及びグレンシーブ２４０に落下する穀粒及び塵が、唐箕ファン２２８からの選別風によって風選されるように構成している。
【００２７】
なお、主選別風路４１と、第１プレ風路４２と、第２プレ風路４３とから供給された唐箕ファン２２８からの選別風は、上述した排塵ファン２３０の排塵ファンケース２３０ａに形成した排塵吸込み口２３０ｂに吸い込まれて排出口２３０ｃから排出されたり、三番口２４４から脱穀機筐３５の後方に移動するから、扱胴２２６からの脱粒物中の藁屑及び粉塵等が、脱穀機筐３５の後部から圃場に向けて排出されることになる。
【００２８】
次に、図４を参照しながら、二番選別ファン２４１からストローラック２４３に供給する二番選別風の風路構造について説明する。ストローラック２４３の下方に、揺動選別盤２２７の後端側の底部を形成する二番流穀板２４６が配置されている。二番流穀板２４６より下方で、二番コンベヤ２３２より後方に二番選別ファン２４１を配置する。二番選別ファン２４１の選別ファンケース２４１ａに選別風吹出し口２４１ｂを形成する。二番流穀板２４６の下端より下方の二番樋２３２ａの上面側に選別風吹出し口２４１ｂを連通させる。二番コンベヤ２３２より上方で、且つ二番コンベヤ２３２より後方に選別風吹出し口２４１ｂが形成される。
【００２９】
即ち、二番コンベヤ２３２の上方でその後方から前方に向けて選別風吹出し口２４１ｂから二番選別ファン２４１の二番選別風が供給されることになる。したがって、二番流穀板２４６から二番コンベヤ２３２に流下する二番還元再処理物の後方から、二番コンベヤ２３２の上方に向けて、選別風吹出し口２４１ｂから二番選別ファン２４１の二番選別風を供給することになる。その結果、二番流穀板２４６から流下した二番還元再処理物が二番コンベヤ２３２に落下するまでの間に、選別風吹出し口２４１ｂから供給された二番選別ファン２４１の二番選別風の風選によって、その二番還元再処理物中の塵又は藁屑が除去されることになる。
【００３０】
また、揺動選別盤２２７の後端側の上方に、揺動選別盤２２７の上面側から排塵を吸引して機外に排出する排塵ファン２３０が配置されている。二番コンベヤ２３２より後方で選別ファン２４１の選別風吹出し口２４１ｂより上方に排塵ファン２３０の排塵吸込み口２３０ｂを形成する。選別風吹出し口２４１ｂから吹出された二番選別ファン２４１の二番選別風が二番コンベヤ２３２の上方を通過するときに、その二番選別風の移動方向が、前向き方向から上向き方向に変化した後、上向き方向から後向き方向に変化して、排塵吸込み口２３０ｂに向けて二番選別ファン２４１の二番選別風が移動することになる。
【００３１】
したがって、選別風吹出し口２４１ｂからの二番選別ファン２４１の二番選別風が二番コンベヤ２３２の上方を通過するときに、その二番選別風が方向転換することによって、二番選別ファン２４１の二番選別風が搬送する二番還元再処理物中の比較的重い穀粒等は、遠心分離されて下方の二番コンベヤ２３２に落下する。一方、二番選別ファン２４１の二番選別風が搬送する二番還元再処理物中の比較的軽い塵又は藁屑等は、遠心分離されずに排塵ファン２３０の排塵吸込み口２３０ｂに搬送される。即ち、二番還元再処理物が二番コンベヤ２３２に落下するまでの間に、渦巻き状に移動する二番選別ファン２４１の二番選別風の遠心分離作用によって、二番還元再処理物のうち比較的重い穀粒等と、二番還元再処理物のうち比較的軽い塵又は藁屑等とに、それぞれ分離されて、各別に取出されるように構成している。
【００３２】
なお、上述した唐箕ファン２２８の選別風量（選別風力）と、排塵ファン２３０の排塵吸込み風量（排塵吸込み風力）とを略一致させる。また、唐箕ファン２２８の選別風量又は排塵ファン２３０の排塵吸込み風量に対して、二番選別ファン２４１の選別風量（選別風力）がおおよそ５分の１以下になるように、唐箕ファン２２８の選別風量（選別風力）と、排塵ファン２３０の排塵吸込み風量（排塵吸込み風力）と、二番選別ファン２４１の選別風量（選別風力）とを設定することが望ましい。
【００３３】
上記の構成により、揺動選別盤２２７の揺動運動によって、チャフシーブ２３９及びストローラック２４３上の脱粒物が比重選別される。チャフシーブ２３９から一番コンベヤ２３１に穀粒（精粒）が落下して、その穀粒が穀粒タンク７に収集される。また、ストローラック２４３から二番還元再処理物が二番コンベヤ２３２に落下する。ストローラック２４３から落下した二番還元再処理物のうち、ストローラック２４３の後端側から下方の二番流穀板２４６に落下した二番還元再処理物は、二番流穀板２４６の下端側から二番樋２３２ａに落下する途中に、選別風吹出し口２４１ｂからの二番選別風によって風選される。
【００３４】
また、ストローラック２４３から落下した全ての二番還元再処理物に対してその二番還元再処理物が二番コンベヤ２３２又は二番樋２３２ａに落下するまでに、排塵吸込み口２３０ｂに向けて移動する二番選別風の遠心分離作用によって風選される。その結果、二番還元再処理物中の比較的重い穀粒等は、二番選別風の遠心分離作用によっ下方の二番コンベヤ２３２に落下する。一方、二番選別風が搬送する二番還元再処理物中の比較的軽い塵又は藁屑等は、遠心分離されずに排塵ファン２３０の排塵吸込み口２３０ｂに搬送されて、排塵ファン２３０の排出口２３０ｃから機外に排出される。
【００３５】
上記の記載及び図１、図３、図４から明らかなように、エンジン２０を搭載した走行機体１と、走行機体１を支持する左右の走行クローラ２と、操縦ハンドル１１及び運転座席１２を有する運転部１０と、圃場の未刈り穀稈を刈取る刈取装置３と、刈取った穀稈を脱穀する脱穀装置５と、脱穀装置５からの脱粒物を選別する揺動選別盤２２７とを備え、揺動選別盤２２７の下方に、一番穀粒取出し用の一番コンベヤ２３１と、一番コンベヤ２３１の上方に一番選別風を供給する唐箕ファン２２８と、二番還元再処理物取出し用の二番コンベヤ２３２と、二番コンベヤ２３２の上方に二番選別風を供給する選別ファン２４１とを配置し、揺動選別盤２２７の後端側の上方に、前記揺動選別盤２２７の上面側から排塵を吸引して機外に排出する排塵ファン２３０を配置してなるコンバインにおいて、二番コンベヤ２３２を挟んで一番コンベヤ２３１と反対側に選別ファン２４１の選別風吹出し口２４１ｂを形成し、二番コンベヤ２３２に流下する二番還元再処理物の流れと交差する方向に選別風吹出し口２４１ｂから二番選別ファン２４１の二番選別風を供給可能に構成したものであるから、揺動選別盤２２７の後端側の二番流穀板２４６から流下した二番還元再処理物が二番コンベヤ２３２に落下するまでの間に、選別風吹出し口２４１ｂから供給する二番選別ファン２４１の二番選別風の風選によって、その二番還元再処理物中の塵又は藁屑を簡単に除去でき、二番コンベヤ２３２によって取出される二番還元再処理物の選別作業性を簡単に向上できる。
【００３６】
上記の記載及び図３、図４から明らかなように、揺動選別盤２２７に設けた二番流穀板２４６の下方側に選別ファン２４１の選別風吹出し口２４１ｂを形成し、二番流穀板２４６から二番コンベヤ２３２に流下する二番還元再処理物に対して、二番コンベヤ２３２より後方の選別風吹出し口２４１ｂから二番選別ファン２４１の二番選別風を供給可能に構成したものであるから、選別風吹出し口２４１ｂから供給する二番選別ファン２４１の二番選別風の風選によって、二番流穀板２４６から流下した二番還元再処理物中の塵又は藁屑を簡単に除去できるものでありながら、その二番選別風の風選によって、揺動選別盤２２７の後端側に設けたストローラック２４３から二番コンベヤ２３２に直接落下する二番還元再処理物中の塵又は藁屑も簡単に除去でき、二番コンベヤ２３２によって取出される二番還元再処理物の選別作業性を簡単に向上できる。
【００３７】
上記の記載及び図３、図４から明らかなように、二番コンベヤ２３２より後方で二番選別ファン２４１の選別風吹出し口２４１ｂより上方に排塵ファン２３０の排塵吸込み口２３０ｂを形成し、選別風吹出し口２４１ｂから吹出された二番選別ファン２４１の二番選別風が前記二番コンベヤ２３２の上方を通過するときに、その二番選別風の移動方向が、前向き方向から上向き方向に変化した後、上向き方向から後向き方向に変化して、排塵吸込み口２３０ｂに向けて二番選別ファン２４１の二番選別風が移動可能に構成したものであるから、二番コンベヤ２３２の上方を通過するときに、二番選別ファン２４１の二番選別風が方向転換することによって、二番選別ファン２４１の二番選別風が搬送する二番還元再処理物中の比較的重い穀粒等は、遠心分離されて下方の前記二番コンベヤ２３２に落下する。一方、二番選別ファン２４１の二番選別風が搬送する二番還元再処理物中の比較的軽い塵又は藁屑等は、遠心分離されずに排塵吸込み口２３０ｂに搬送される。即ち、二番還元再処理物が前記二番コンベヤ２３２に落下するまでの間に、渦巻き状に移動する二番選別ファン２４１の二番選別風の遠心分離作用によって、二番還元再処理物のうち比較的重い穀粒等と、二番還元再処理物のうち比較的軽い塵又は藁屑等とに、それぞれ分離して、各別に取出すことができ、二番選別ファン２４１の二番選別風の風選能力を簡単に向上できる。
【図面の簡単な説明】
【００３８】
【図１】本発明の第１実施形態の６条刈り用コンバインの側面図である。
【図２】同平面図である。
【図３】脱穀装置の断面図である。
【図４】脱穀装置の選別部の拡大説明図である。
【符号の説明】
【００３９】
１  走行機体
２  走行クローラ
３  刈取装置
５  脱穀装置
１０  運転キャビン（運転部）
１１  操縦ハンドル
１２  運転座席
２０  エンジン
２２７  揺動選別盤
２２８  唐箕ファン
２３０  排塵ファン
２３０ｂ  排塵吸込み口
２３１  一番コンベヤ
２３２  二番コンベヤ
２４１  二番選別ファン
２４１ｂ  選別風吹出し口
２４６  二番流穀板
【図１】
2009034057.tif 000003
【図２】
2009034057.tif 000004
【図３】
2009034057.tif 000005
【図４】
2009034057.tif 000006